(57)【要約】【課題】出荷時や店頭における展示、販売の際に商標や商品の説明などの各種情報を見易く表示することが出来るものを、経済的に得ようとする。【解決手段】紙その他の材料で形成した袋体１の１辺部に開口部１０を設ける。この開口部１０から袋体１内にぶどう等の房状果実を収納するが、この開口部１０は収納後の房状果実が外部から見えるように露出できるような開口状態に保持することができる。この袋体１の上記開口部１０の１辺部に交差する他辺部側には、連結部７を残し切線６によって適宜の幅を有する表示片８を形成している。この表示片８には、袋体内に収納される房状果実に関連して商標、品種、説明その他の表示１７を設けている。この表示片８は房状果実を収納した出荷袋２１の開口部側に引き出しておくことによって、これに表されている各種情報を明確に表示することができる。【選択図】図３
2010215285.tif 000002
【特許請求の範囲】
【請求項１】
紙その他の材料で形成した袋体を備え、この袋体の１辺部に房状果実を収納し収納後の房状果実が外部から見えるように露出されている開口状態に保持することができる開口部を設け、この袋体の上記開口部の１辺部に交差する他辺部側に連結部を残し切線によって適宜の幅の表示片を形成し、該表示片に袋体内に収納された房状果実に関連して商標、品種その他の情報を表示した房状果実の出荷袋。
【請求項２】
上記袋体の他辺部側に連結部を残して表示片を形成する切線が、上記開口部と繋がる隣接開口部を形成している請求項１に記載の房状果実の出荷袋。
【請求項３】
上記袋体には、上記房状果実を収納後に上記開口部の開口状態を保ったままで上記隣接開口部を閉じることができる結束具を備える請求項２に記載の房状果実の出荷袋。
【請求項４】
上記袋体の他辺部側は閉じられ、その閉じられた外側に連結部を残し切線によって表示片を形成している請求項１に記載の房状果実の出荷袋。
【請求項５】
上記表示片を形成する連結部が上記開口部側に形成されている請求項１〜４のいずれかに記載の房状果実の出荷袋。
【発明の詳細な説明】
【技術分野】
【０００１】
本発明は、ぶどう等の房状果実を出荷する際に使用する出荷袋に関する。
【背景技術】
【０００２】
ぶどう等の房状果実は、そのままダンボール箱に詰めて出荷すると、輸送中に揺られ、互いにぶっつかり合ったりして、果実の粒が柄から落ちることが多く、また、販売時に商品価値を低下してしまう。
こうしたことから、ぶどうを栽培時に使用した果実袋に入れた状態で収穫し、その果実袋に入れたままの状態でダンボール箱に詰めて出荷することが考えられたが、この果実袋には栽培中に使用した農薬などが付着している虞があり、そのまま出荷袋として使用し、消費者に渡ることは好ましくないと考えられている。
【０００３】
そこで、ぶどうを出荷専用の包装袋に入れ、この袋の開口を開いたままにして、外から収納されているぶどうを見ることができるようにしたぶどう房包装袋が提供されている。（特許文献１）
このぶどう房包装袋には、袋の表面に商品の名称などが表示されているが、ぶどうを入れた場合にこれらの表示は側面に位置することとなるために、箱に詰めたり、小売店などで店頭に商品を並べて販売する場合にはこの表示が見えなかったり、見難いという問題点がある。
【先行技術文献】
【特許文献】
【０００４】
【特許文献１】意匠登録第１１９０３０９号
【発明の概要】
【発明が解決しようとする課題】
【０００５】
本発明は、出荷時や店頭における展示、販売の際において、商標や商品の説明などの各種情報を見易く表示することが出来るようなものを、経済的に得ようとするものである。
【課題を解決するための手段】
【０００６】
本発明においては、紙その他の材料で形成した袋体の１辺部に開口部を設ける。この開口部から袋体内にぶどう等の房状果実を収納するが、この開口部は収納後の房状果実が外部から見えるように、露出できるような開口状態に保持することができる。この袋体の上記開口部の１辺部に交差する他辺部側には、連結部を残し切線によって適宜の幅を有する表示片を形成している。この表示片には、袋体内に収納される房状果実に関連して商標、品種、説明その他の情報を表示している。この表示片は、房状果実を収納した袋体の開口部側に引き出しておくことによって、これに表されている各種情報を明確に表示することができる。
【発明の効果】
【０００７】
本発明によれば、商標、品種、説明その他の情報を表示片に表示することができ、この表示片によって的確に情報を呈示することができ、この表示片の大きさを変えることによって表示する情報を増やすこともできる。また、この表示片は、袋体を形成するものの一部を使用することによって形成することができるので、製作が簡単であり、経済的に作ることができる。
【図面の簡単な説明】
【０００８】
【図１】本発明の実施例を示すもので、（Ａ）が正面図、（Ｂ）が背面図である。
【図２】図１（Ａ）の横断面図である。
【図３】図１の袋体の状態を示す説明図である。
【図４】図１の出荷袋にぶどうを収納して状態を示す説明図である。
【図５】図４の包装したものを箱に詰めた状態を示す説明図である。
【図６】本発明の変形例を示す正面図である。
【図７】本発明の他の変形例を示す一部省略正面図である。
【図８】本発明の更に他の変形例を示す正面図である。
【発明を実施するための形態】
【０００９】
紙、プラスチックラミネート紙、不織布、プラスチックシート、孔明きプラスチックシートその他の適宜材料で袋体１を形成する。この袋体１は適宜の方法で作ることができるが、図示のものは、左側を左辺折返し部２とし、右側を右辺折返し部３として、右辺折返し部３から少し左側に寄った位置を突合せ部４としており、この突合せ部４が後記するように袋体１の開口部１０となる。
この開口部１０に交差する他辺部側の上辺部５には、左辺折返し部２から突合せ部４に向かって延びる切線６によって切られ、連結部７によって繋がっている表示片８が設けられている。上記切線６によって切断されたことにより、上記開口部１０に連続する隣接開口部１５が形成されている。この袋体１の下辺部１１は、ヒートシール１２や糊付けなどによって閉じられている。
【００１０】
図示の表示片８は、袋体の裏面１４側の連結部７で繋がっているだけであり、袋体の表面１３、裏面１４による長い表示片となっているのでそのまま使用してもよいが、表示片における表面１３と裏面１４をヒートシールや糊付けなどによって接着し（図示略）、２枚重ねの１枚のシート状にして使用することができる。
この表示片８の連結部７の下方には表裏の袋材料が突合せ部４に沿って切込部１６があり、この切込部１６は更に上記切線６を超えてやや下方に延びている。
【００１１】
上記表示片８には、その片面又は両面に、この袋内に収納するぶどうなどの房状果実に関する商標、品種、食べ方その他の各種情報の表示１７を設ける。
上記表示片８側の右辺折返し部３近傍には、隣接開口部１５を閉じる為の結束具１９を設けており、この結束具１９は右辺部の袋体表裏面１３、１４の間に挟み込むようにし、表裏を適宜接着などして固定するとよい。
上記結束具１９は、針金などを使用して設けることができるが、ポリプロピレン樹脂、ポリエチレン樹脂、ポリ乳酸樹脂その他の針金と同様に変形状態を保つことができ、かつ強い力を加えると元に戻すことができるようなものを使用すると、針金に比べて一層安全に使用することができる。
【００１２】
こうした出荷袋２１を使用する場合、ぶどうなどの房状果実２２の果柄２３側を袋体１の上辺部５側に向けて、開口部１０から袋体１内に入れ、袋体１の表示片８の隣接開口部１５の周りの隣接部１８を果柄２３に巻き付け、開口部１０を開いた状態にすると、外側から出荷袋２１内に入っている房状果実２２を見ることができるようになる。こうした状態で、果柄２２に巻き付けた上記隣接部１８を結束具１９で巻いて固定し、解けることを防止している。
上記した表示片８の連結部７の下方に設けられている切込部１６は、袋体１の隣接部１８を果柄２３に巻き付け、更にその上から結束具１９を巻き付ける場合の作業を行い易くしている。
【００１３】
上記の如く、結束具１９を使用して房状果実２２を出荷袋２１内に収納したとき、表示片８は房状果実２２を収納した袋体１と連結部７で繋がっているだけなので、この表示片８を収納した房状果実２２の上に位置させるなどして、表示片８に表わしてある表示１７を明瞭に表示することができ、販売時にも有用である（図４）。
また、出荷箱２４に詰めたときにも、同様に表示片８が表面に表われるので、出荷時、流通時は勿論、この出荷箱に詰めた状態で販売する場合にも同様に表示を明示することができる（図５）。
【００１４】
図６に示すものは、図１に示すものとほぼ同様に構成されているものであるが、突合せ部４に位置する左側の表面１３を左側に折返して折返部２５を形成しているものである。このものは、開口部１０に折返部２５が位置していることから、開口部１０が丈夫で変形し難いので、袋内に房状果実２２を入れるときに開口部１０が折れ曲がることもなく、袋体内に収納し易い。
【００１５】
図７のものは、図６に示すものとほぼ同様に構成されているものであるが、連結部７を左辺折返し部２側に形成し、右辺折返し部３側の切込部１６を切線６と交差して上辺部５まで連続して設けている。表示片８は左辺折返し部２側で連結されているので、表示片８が、連結部から表面１３と裏面１４の２枚になっており、この２枚のままで使用することもできるが、表面１３と裏面１４を適宜に貼り合わせて１枚の状態にして使用することができる。
【００１６】
図８に示すものは、左辺側に左辺折返し部２を設け、右辺側を開口部１０としたものであり、下辺部１１をヒートシール１２などによって閉じ、上辺部５も適宜の間隔を置いてヒートシール２７などによって閉じて袋体１を形成している。上記したヒートシール２７の上方には、右側に連結部７を残して切線６を設け、これによって表示片８を形成しているものである。
このものは、下辺部１１及び上辺部５が閉じられているので、右側の開口部１０から房状の果実を袋内に収納することができ、その収納状態を保持することができるから、袋体を閉じるための結束具１９は特に必要とされない。
【００１７】
また、この出荷袋２１では、上記ヒートシール２７の上方に、左側に連結部７を残すようにして切線８を設け、これによって表示片８を形成することもでき、他の形式の出荷袋でも同様に連結部７の位置を変えることができる。
なお、本発明において、上下左右、表裏などの表現を用いたが、これは説明の便宜の為であり、絶対的な位置関係などを表しているものではない。
【産業上の利用可能性】
【００１８】
本発明によれば、出荷袋２１を形成するときに同時的に表示片８を作ることができ、この表示片８によって出荷袋２１内に収納されている房状果実２２に関する商標その他の情報を見易く明確に表示することができる。
【符号の説明】
【００１９】
１    袋体
２    左辺折返し部
３    右辺折返し部
４    突合せ部
６    切線
７    連結部
８    表示片
１０  開口部
１２、２７  ヒートシール
１３  袋体の表面
１４  袋体の裏面
１６  切込部
１７  表示
１８  隣接部
１９  結束具
２１  出荷袋
２２  房状果実
２３  果柄
２４  出荷箱
【図１】
2010215285.tif 000003
【図２】
2010215285.tif 000004
【図３】
2010215285.tif 000005
【図４】
2010215285.tif 000006
【図５】
2010215285.tif 000007
【図６】
2010215285.tif 000008
【図７】
2010215285.tif 000009
【図８】
2010215285.tif 000010